(57)【特許請求の範囲】
【請求項１】
耐氷クラスの氷海船舶の耐氷クラスの認定を受けるための氷海水槽試験で要求される試験条件を満足するブラッシュ・アイス・チャンネル模型氷を氷海水槽に形成するブラッシュ・アイス・チャンネル模型氷の製作法であって、
氷海水槽で予め氷片を作成する工程と、
氷海水槽で作成しておいた氷片をブラッシュ・アイス・チャンネル全体に必要な個数分の底がない木枠にそれぞれ同じ量に分配して入れ、氷片の詰まった木枠を氷海水槽の一端側に集める氷片を木枠に入れて保管する工程と、
氷海水槽における木枠が無い残りの部分に別の新たな平坦氷を製氷し、その平坦氷の中央部を切り取り、除外して開水路を作成する工程と、
水中を走行する水中台車に上下動可能に取り付けられ、周囲が所定高さの囲板で取り囲まれ、底部が目的とする氷片集合底面の山形断面形状と同じで開水路と同じ幅の整形モールドを用い、氷片の詰まった１個の木枠をすくい上げるように整形モールドを水面付近まで上昇させ、しかる後に水中台車を開水路の奥まで移動させ、整形モールドを更に上昇させて木枠を取り外し氷片を整形モールド内に充填させ、その後に整形モールドを下降させることにより、整形モールドの型に整った氷片群を開水路の奥に浮かべる工程と、
上記氷片群を開水路の奥に浮かべる工程を繰り返して開水路の奥から順に手前まで氷片群で充填していき、開水路の全体が充填された氷片群で埋め、開水路にブラッシュ・アイス・チャンネル模型氷を形成する工程と
を備えたことを特徴とするブラッシュ・アイス・チャンネル模型氷の製作法。
【請求項２】
氷海水槽で予め氷片を作成する工程は、
氷海水槽にブラッシュ・アイスの元氷となる薄い平坦氷を作成する工程と、
氷海水槽に製氷した平坦氷を整形モールドの一杯分毎の間隔で氷海水槽の幅方向に切断して分割する工程と、
分割された平坦氷を氷板カッターで短冊状に切った後、短冊状の平坦氷を上から押し割って砕氷し、ブラッシュ・アイス・チャンネル模型氷の元となる多数の氷片を作成する工程とからなることを特徴とする請求項１記載のブラッシュ・アイス・チャンネル模型氷の製作法。
【請求項３】
前記氷板カッターは、カッター支持部材と、該カッター支持部材に等間隔に取り付けた多数のカッターとで構成されていることを特徴とする請求項２記載のブラッシュ・アイス・チャンネル模型氷の製作法。
【発明の詳細な説明】
【技術分野】
【０００１】
本発明は、氷海船舶の耐氷クラス（Ice Class）の認定を受けるための氷海水槽試験において、要求される試験条件を満足することのできるブラッシュ・アイス・チャンネル模型氷の製氷法に関する。
【背景技術】
【０００２】
一般に、氷海域を航行する船には、船級規則で船の強度や主機の能力などに関して、安全航行のための特別な要求が設けられている。航行する海域の氷の状態に対応して、いくつかのクラスがある。これら船級のアイスクラスの中で、耐氷クラスの主機の能力については、アイスクラス承認試験に関するフィンランド-スエーデンのアイスクラス規則（Finnish-Swedish Ice Class Rule）[以下、「FSICS」と称する]のガイドラインが設けられている。
氷海水槽試験における模型氷は、要求される試験条件を満足することが必要とされており、その試験条件はFSICS のガイドラインに基づくものである。
搭載する主機の最大出力については、規則要求式を満足するか、FSICSのガイドラインが定める条件で氷海水槽試験を行い、その条件の下で５ノットで航行できることを示して承認されればアイスクラスを取得できる。
【０００３】
FSICSの指定する氷海水槽試験条件は以下の通りである。
以下の図１６〜図１８は氷海水槽試験条件を説明するに当たり、氷海水槽におけるブラッシュ・アイス・チャンネルの概念を明瞭に示すために提示するもので、図１６の（ａ）、（ｂ）はブラッシュ・アイス・チャンネル模型氷を示す斜視図と断面図、図１７は氷海水槽のブラッシュ・アイス・チャンネルと模型船との関係を示す平面図、図１８の（ａ）、（ｂ）はブラッシュ・アイス・チャンネル模型氷の断面形状の計測状態を示す平面図と断面図である。
【０００４】
（１）模型氷
氷海水槽で、図１６〜図１７に示すような断面形状のブラッシュ・アイス・チャンネル（Brash  Ice  Channel）の模型氷が必要とされる。
図１６〜図１７において、
ブラッシュ・アイス・チャンネルの幅（ＢE）は船幅の１．５〜２倍とする。
ブラッシュ・アイス・チャンネル断面の中央部の厚さ（ＨM）はアイスクラスＩＡで１    ．０ｍ相当（実寸）である。
模型氷では模型船の縮尺に合わせて設定され、大体２．５cmから５cm
ここでいうブラッシュ・アイス・チャンネルとは、能力のある砕氷船によって啓開された氷板中の開水路を利用して、何度も船舶が行き来する間に３０cm 程度の大きさの氷片が開水路に蓄積されているような状態をいい、中央部を船舶が通過するため、一般に中央部の厚さは薄く、中央から両側にいくに従って次第に厚くなる断面形状をなす氷片の集合体をいう。
ブラッシュ・アイス・チャンネル模型氷断面の底面角度は２°である。
【０００５】
（２）ブラッシュ・アイス・チャンネル断面形状の計測等
規則では、試験前にチャンネル断面形状の計測と、ブラッシュアイスの空隙率や摩擦係数などの氷の物性を計測することが指示されている。
空隙率：体積に対する隙間の割合をいう。
摩擦係数：実物における船体と浮遊氷の間の摩擦係数をいう。
断面形状の計測は図１８に示すように、模型ベースで長手方向に約２ｍ間隔、幅方向に１０〜２０ｃｍ間隔で実施することが要求される。
【０００６】
氷海水槽試験におけるブラッシュ・アイス・チャンネル模型氷の従来の製作法は、平坦氷をまず作り、水槽内で模型船が通過する領域の氷を、人手で予め細かく砕氷する。その後に、ガイドラインで既定されているチャンネル内の堆積氷片の断面形状になるべく近くなるように氷片を寄せ集めるというものである。この際、水面下の状況は見えず、チャンネルの長さ方向全体に亘って断面形状が維持できる保証はないので、随時、水面上から厚さ計測具を用いて氷片堆積の厚さを何回も計測して、断面形状が概ねガイドラインで要求される形状になっていることを確認する必要がある。
【０００７】
その厚さ計測には、例えば氷片の集積状態を崩さないように測定するため、氷片堆積を上面から下面まで貫通可能で、貫通後に可動するストッパーで氷片堆積を認知できる尺を使用する方法が用いられている。
【発明の開示】
【発明が解決しようとする課題】
【０００８】
従来の氷海水槽試験におけるブラッシュ・アイス・チャンネル模型氷の製作法によれば、チャンネル中に氷片を充填する際、氷片の水面下の堆積状態は氷片の寄せ集め方によって毎回異なり、常に一定の条件で試験を行うことは困難であった。
従って、既定されるブラッシュ・アイス・チャンネルの断面形状をチャンネルの長さ方向全体に亘って一様に保つことは難しかった。また、極力断面形状を一様にするためには、広い範囲に渡って氷片厚さを測定しながら氷片を寄せ集める必要があるが、このためには準備に多大な時間と労力を有するという問題があった。
本発明はかかる問題点を解決するためになされたもので、耐氷クラスの氷海船舶の耐氷クラスの認定を受けるための氷海水槽試験で要求される試験条件を満足するブラッシュ・アイス・チャンネル模型氷を手間をかけずに、しかも確実に氷海水槽に形成することができるブラッシュ・アイス・チャンネル模型氷の製作法を提供することを目的とする。
【課題を解決するための手段】
【０００９】
本発明に係るブラッシュ・アイス・チャンネル模型氷の製作法は、耐氷クラスの氷海船舶の耐氷クラスの認定を受けるための氷海水槽試験で要求される試験条件を満足するブラッシュ・アイス・チャンネル模型氷を氷海水槽に形成するブラッシュ・アイス・チャンネル模型氷の製作法であって、氷海水槽で予め氷片を作成する工程と、氷海水槽で作成しておいた氷片をブラッシュ・アイス・チャンネル全体に必要な個数分の底がない木枠にそれぞれ同じ量に分配して入れ、氷片の詰まった木枠を氷海水槽の一端側に集める氷片を木枠に入れて保管する工程と、氷海水槽における木枠が無い残りの部分に別の新たな平坦氷を製氷し、その平坦氷の中央部を切り取り、除外して開水路を作成する工程と、水中を走行する水中台車に上下動可能に取り付けられ、周囲が所定高さの囲板で取り囲まれ、底部が目的とする氷片集合底面の山形断面形状と同じで開水路と同じ幅の整形モールドを用い、氷片の詰まった１個の木枠をすくい上げるように整形モールドを水面付近まで上昇させ、しかる後に水中台車を開水路の奥まで移動させ、整形モールドを更に上昇させて木枠を取り外し氷片を整形モールド内に充填させ、その後に整形モールドを下降させることにより、整形モールドの型に整った氷片群を開水路の奥に浮かべる工程と、上記氷片群を開水路の奥に浮かべる工程を繰り返して開水路の奥から順に手前まで氷片群で充填していき、開水路の全体が充填された氷片群で埋め、開水路にブラッシュ・アイス・チャンネル模型氷を形成する工程とからなるものである。
【発明の効果】
【００１０】
本発明においては、氷海水槽で予め氷片を作成する工程で作成しておいた氷片をブラッシュ・アイス・チャンネル全体に必要な個数分の底がない木枠にそれぞれ同じ量に分配して入れ、氷片の詰まった木枠を氷海水槽の一端側に集める氷片を木枠に入れて保管する工程と、氷海水槽における木枠が無い残りの部分に別の平坦氷を製氷し、その平坦氷の中央部を切り取り、除外して開水路を作成する工程と、水中を走行する水中台車に上下動可能に取り付けられ、周囲が所定高さの囲板で取り囲まれ、底部が目的とする氷片集合底面の山形断面形状と同じで開水路と同じ幅の整形モールドを用い、氷片の詰まった１個の木枠をすくい上げるように整形モールドを水面付近まで上昇させ、しかる後に水中台車を開水路の奥まで移動させ、整形モールドを更に上昇させて木枠を取り外し氷片を整形モールド内に充填させ、その後に整形モールドを下降させることにより、整形モールドの型に整った氷片群を開水路の奥に浮かべる工程と、上記氷片群を開水路の奥に浮かべる工程を繰り返して開水路の奥から順に手前まで氷片群で充填していき、開水路の全体が充填された氷片群で埋め、開水路にブラッシュ・アイス・チャンネル模型氷を形成する工程とからなり、整形モールドの型に整った氷片群を開水路の奥に浮かべる工程で、整形モールドの幅は開水路の幅と同じであり、それぞれの木枠の中の氷片量は同じであるので、木枠を取り外し後に整形モールド内に充填させられる氷片の量は常に同じであり、その後に整形モールドを下降させて開水路の奥に浮かべられる整形モールドの型に整った氷片群の断面形状は氷海水槽試験で要求される試験条件で既定される形状を常に保つことができ、また氷片の量も常に一定であるため、ブラッシュ・アイス・チャンネルの長さ全体にわたって充填率を一定に保つことができ、耐氷クラスの氷海船舶の耐氷クラスの認定を受けるための氷海水槽試験で要求される試験条件を満足するブラッシュ・アイス・チャンネル模型氷を手間をかけずに、しかも確実に得ることができる。
【発明を実施するための最良の形態】
【００１１】
図１は本発明の実施の形態１のブラッシュ・アイス・チャンネル模型氷の製作法に用いられる氷海水槽の平面図、図２は同ブラッシュ・アイス・チャンネル模型氷の製作法に用いられる氷海水槽の断面図、図３は同ブラッシュ・アイス・チャンネル模型氷の製作法に用いられる整形モールドを示す斜視図、図４は同ブラッシュ・アイス・チャンネル模型氷の製作法に用いられる氷板カッターの斜視図である。
図１〜図２において、長方形の氷海水槽１の左端には氷海水槽１の幅より狭い待機用水槽１ａが設けられている。氷海水槽１及び待機用水槽１ａ内の底部の幅方向中央には長さ方向に延びる一対の水中台車用レール２、２が敷設されている。その一対の水中台車用レール２、２には水中台車３が走行自在に設けられている。その水中台車３にはブラッシュ・アイスの形状を整える整形モールド４が取り付けられている。
【００１２】
その整形モールド４は目的とする氷片集合底面と同じ山状断面形状を有する氷載置板４ａと、氷載置板４ａの三方を取り囲む所定高さの囲板４ｂと、囲板４ｂの閉鎖側端部をヒンジ結合により回動自在に支持する一対の支持アーム４ｃと、囲板４ｂの開放側端部を吊り下げて上下動させる一対の吊下ロープ４ｄとで構成されている。なお、氷載置板４ａの中央から端部に行くに従い垂れ下がる傾斜角度はブラッシュ・アイス・チャンネル断面の底面角度と同じ２°に設定されている。
【００１３】
また、氷海水槽１及び待機用水槽１ａの両側の側方位置で氷海水槽１の開口部と略同じ高さにそれぞれ曳引車用レール５が架設されている。その曳引車用レール５には曳引車６が走行自在に設けられている。氷海水槽１には水７が張られており、模型船８が浮かべられている。
９は氷板を短冊状に切断する氷板カッターで、カッター支持部材９ａに等間隔に多数のカッター９ｂを取り付けて構成されている。１０はそれぞれが同じ大きさの底の無い木枠である。
【００１４】
次に、本発明の実施の形態１のブラッシュ・アイス・チャンネル模型氷の製作法について図５〜図１４の工程図に基づいて説明する。なお、図５〜図１４にはそれぞれ必要に応じて理解を容易にするために氷海水槽の平面図と断面図を示している。
（１）ブラッシュ・アイスの元氷を製氷する第１の工程
まず、図５に示すように、氷海水槽１に、ブラッシュ・アイスの元氷となる薄い平坦氷Ａを室内を冷却して製氷する。
この平坦氷Ａの厚さはブラッシュ・アイスの元氷となるので、目的とするブラッシュ・アイス模型氷を形成する氷片の大きさと同程度である。
【００１５】
（２）平坦氷を切断して分割する第２の工程
次に、図６に示すように、氷海水槽１に製氷された薄い平坦氷Ａを整形モールド４の一杯分毎の間隔で氷海水槽１の幅方向に汎用のカッター（図示省略）で切断する。
この切断の間隔Ｘは、整形モールドの堆積をＶｍ、計画するブラッシュ・アイス・チャンネルの空隙率をＣ、水槽の幅をＢt、氷板の厚さをｈｉとすれば、
Ｘ＝Ｖｍ×（１−Ｃ）÷（Ｂt×ｈｉ）で求められる。
【００１６】
（３）分割された平坦氷から氷片を作成する第３の工程
図７に示すように、分割された平坦氷Ａを細かく砕く作業に当たり、氷片の大きさをなるべく一様にするために、図４に示す氷板カッター９を曳引車６に取り付け、曳引車６を分割された平坦氷Ａの一端から他端まで移動させて平坦氷Ａを短冊状に切った後、作業員がスコップのような柄のついた治具で上から押し割って砕氷し、細かい氷片Ｂを作成する。
【００１７】
（４）氷片を木枠に入れて保管する第４の工程
図８に示すように、細かく砕氷して作成した氷片Ｂを、底が無く浮くことのできる木枠１０に入れて保管する。この作業を順次繰り返して、ブラッシュ・アイス・チャンネル全体に必要な個数分の木枠１０で氷片Ｂを保管する。
ブラッシュ・アイス・チャンネルの長さをＬＢとし、整形モールド４の長さをＬＭとすると、木枠１０で保管する氷片集合体の個数はＬＢ／ＬＭとなる。
【００１８】
（５）別の平坦水を製氷する第５の工程
図９に示すように、氷片の詰まった木枠１０を氷海水槽１の左端に集めて、その木枠１０の開口を断熱材で蓋をし、氷海水槽１の木枠１０が無い残りの部分に別の新しい平坦氷Ｃを室内を冷却して製氷する。
（６）開水路を作成する第６の工程
図１０に示すように、新たに製氷した平坦氷Ｂの中央部でブラッシュ・アイス・チャンネルとする部分を鋸等で切り取り、切り取った平坦氷Ｂを除外して氷海水槽１に開水路Ｄを作成する。
【００１９】
（７）開水路へ木枠を移動する第７の工程
図１１に示すように、まず、曳引車６と整形モールド４が取り付けられた水中台車３を連結する。このとき、整形モールド４は水中台車３上で、上下に水中台車３に対して平行移動できると共に、整形モールド４の氷載置板４ａを取り囲む囲板４ｂの閉鎖側端部が一対の支持アーム４ｃにヒンジ結合されることよって氷載置板４ａが水平面に対する角度を変えることができる。
そこで、整形モールド４を、氷片の詰まった一つの木枠１０と共に水面付近まで上昇させ、しかる後に曳引車６を開水路Ｄの奥まで低速で移動させるする。その曳引車６の移動に伴い整形モールド６と共に水中台車３も開水路Ｄの奥まで移動する。
【００２０】
（８）開水路へ氷片群を浮かべる第８の工程
図１２の（ａ）、（ｂ）に示すように開水路の奥まで整形モールド６が移動したら、整形モールド４を更に上昇させ、木枠１０を取り外して氷片Ｂを整形モールド４内に充填させる。
その後、図１２の（ｃ）に示すように、今度は吊下ロープ４ｄを緩めて氷載置板４ａを傾斜させてから整形モールド４を静かに下降させると、整形モールド４の型に整った氷片群Ｅのみが開水路Ｄの奥に浮かぶこととなる。
なお、この実施の形態１では、氷載置板４ａを傾斜させるのに、吊下ロープ４ｄを用いているが、他の傾斜機構によって氷載置板４ａを傾斜させるようにしてもよい。
【００２１】
（９）開水路にブラッシュ・アイス・チャンネル模型氷を作成する第９の工程
上記（７）〜（８）の工程を繰り返して、開水路Ｄの奥から順に手前まで氷片群Ｅで充填していき、開水路Ｄの全体が充填された氷片群Ｅで埋められたら、図１３に示すように、開水路Ｄに断面形状が長さ方向に同じ形状となるブラッシュ・アイス・チャンネル模型氷Ｆが作成されることとなる。
【００２２】
図１５はブラッシュ・アイス・チャンネル模型氷Ｆの断面形状計測例を示すグラフである。即ち、本発明の実施の形態１のブラッシュ・アイス・チャンネル模型氷の製作法により形成されたブラッシュ・アイス・チャンネル模型氷Ｆの断面形状計測例である。
このグラフを見ると分かるように、ブラッシュ・アイス・チャンネル模型氷Ｆの長手方向の長さを２０ｍとした場合に、 図１５の（ａ）は奥の方で１４．２ｍ、（ｂ）は真ん中で１０．２ｍ、（ｃ）は手前の方で６．２ｍの位置における断面形状は、いずれも破線で示す規則要求断面形状と略同じであり、規則要求を満たしていることが分かる。
【００２３】
以上のような工程を経て開水路Ｄにブラッシュ・アイス・チャンネル模型氷Ｆが作成されたら、曳引車６と整形モールド４が取り付けられた水中台車３を氷海水槽１の左端の模型氷が無いところまで移動させ、その後に曳引車６と水中台車３を切り離し、図１４に示すように、模型船８を曳引車６に取り付け、曳引車６で模型船８をブラッシュ・アイス・チャンネル模型氷Ｆ中で曳航し、抵抗計測等の試験を行う。
なお、試験で計測或いは解析する概略の内容は、（ａ）ブラッシュ・アイス・チャンネル中を５ノット相当のスピードで進ませた時に、船が受ける抵抗（抵抗試験）と（ｂ）上記条件で進むときのプロペラの推力やトルク（自航試験）である。
以上から、ブラッシュ・アイス・チャンネル模型氷Ｆ中を５ノットで進むときに必要な馬力を実船の尺度で推定するというものである。
【００２４】
本発明の実施の形態１のブラッシュ・アイス・チャンネル模型氷の製作法によれば、氷海水槽１で氷片を作成しておく工程で予め作成しておいた氷片Ｂをブラッシュ・アイス・チャンネル全体に必要な個数分の底がない木枠１０にそれぞれ同じ量に分配して入れ、氷片Ｂの詰まった木枠１０を氷海水槽１の一端側に集める氷片Ｂを木枠１０に入れて保管する工程と、氷海水槽１における木枠１０が無い残りの部分に別の平坦氷Ｃを製氷し、その平坦氷Ｃの中央部を切り取り、除外して開水路Ｄを作成する工程と、水中を走行する水中台車３に上下動可能に取り付けられ、周囲が所定高さの囲板４ｂで取り囲まれ、底部の氷載置板４ａが目的とする氷片集合底面の山形断面形状と同じで開水路Ｄと同じ幅の整形モールド４を用い、氷片Ｂの詰まった１個の木枠１０をすくい上げるように整形モールド４を水面付近まで上昇させ、しかる後に水中台車３を開水路Ｄの奥まで移動させ、整形モールド４を更に上昇させて木枠１０を取り外し氷片Ｂを整形モールド４内に充填させ、その後に整形モールド４を下降させることにより、整形モールド４の型に整った氷片群Ｅを開水路Ｄの奥に浮かべる工程と、上記氷片群Ｅを開水路Ｄの奥に浮かべる工程を繰り返して開水路Ｄの奥から順に手前まで氷片群Ｅで充填していき、開水路Ｄの全体が充填された氷片群Ｅで埋め、開水路Ｄにブラッシュ・アイス・チャンネル模型氷Ｆを形成する工程とからなり、整形モールド４の型に整った氷片群Ｅを開水路Ｄの奥に浮かべる工程で、整形モールド４の幅は開水路Ｄの幅と同じであり、それぞれの木枠１０内の氷片量は同じであるので、木枠１０を取り外し後に整形モールド４内に充填させられる氷片Ｂの量は常に同じであり、その後に整形モールド４を下降させて開水路Ｄの奥に浮かべられる整形モールド４の型に整った氷片群Ｅの断面形状は氷海水槽試験で要求される試験条件で既定される形状を常に保つことができ、また氷片Ｂの量も常に一定であるため、ブラッシュ・アイス・チャンネルの長さ全体にわたって充填率を一定に保つことができ、耐氷クラスの氷海船舶の耐氷クラスの認定を受けるための氷海水槽試験で要求される試験条件を満足するブラッシュ・アイス・チャンネル模型氷Ｆを容易に、しかも確実に得ることができる。
【図面の簡単な説明】
【００２５】
【図１】本発明の実施の形態１のブラッシュ・アイス・チャンネル模型氷の製作法に用いられる氷海水槽の平面図。
【図２】同ブラッシュ・アイス・チャンネル模型氷の製作法に用いられる氷海水槽の断面図。
【図３】同ブラッシュ・アイス・チャンネル模型氷の製作法に用いられる整形モールドを示す斜視図。
【図４】同ブラッシュ・アイス・チャンネル模型氷の製作法に用いられる氷板カッターの斜視図である。
【図５】同ブラッシュ・アイス・チャンネル模型氷の製作法の第１の工程を示す工程図。
【図６】同ブラッシュ・アイス・チャンネル模型氷の製作法の第２の工程を示す工程図。
【図７】同ブラッシュ・アイス・チャンネル模型氷の製作法の第３の工程を示す工程図。
【図８】同ブラッシュ・アイス・チャンネル模型氷の製作法の第４の工程を示す工程図。
【図９】同ブラッシュ・アイス・チャンネル模型氷の製作法の第５の工程を示す工程図。
【図１０】同ブラッシュ・アイス・チャンネル模型氷の製作法の第６の工程を示す工程図。
【図１１】同ブラッシュ・アイス・チャンネル模型氷の製作法の第７の工程を示す工程図。
【図１２】同ブラッシュ・アイス・チャンネル模型氷の製作法の第８の工程を示す工程図。
【図１３】同ブラッシュ・アイス・チャンネル模型氷の製作法の第９の工程を示す工程図。
【図１４】曳引車で模型船をブラッシュ・アイス・チャンネル中で曳航する状態を示す平面図と断面図。
【図１５】ブラッシュ・アイス・チャンネル模型氷の断面形状計測例を示すグラフ。
【図１６】ブラッシュ・アイス・チャンネル模型氷を示す斜視図と断面図。
【図１７】氷海水槽のブラッシュ・アイス・チャンネルと模型船との関係を示す平面図。
【図１８】ブラッシュ・アイス・チャンネル模型氷の断面形状の計測状態を示す平面図と断面図。
【符号の説明】
【００２６】
１  氷海水槽、１ａ  待機用水槽、２  水中台車用レール、３  水中台車、４  整形整形モールド、４ａ  氷載置板、４ｂ  囲板、４ｃ  支持アーム、４ｄ  吊下ロープ、５  曳引車用レール、６  曳引車、７  水、８  模型船、９  氷板カッター、Ａ  平坦氷、Ｂ  氷片、Ｃ  別の平坦氷、Ｄ  開水路、Ｅ  氷片群、Ｆ  ブラッシュ・アイス・チャンネル模型氷。
【図１】
0004776449.tif 000002
【図２】
0004776449.tif 000003
【図３】
0004776449.tif 000004
【図４】
0004776449.tif 000005
【図５】
0004776449.tif 000006
【図６】
0004776449.tif 000007
【図７】
0004776449.tif 000008
【図８】
0004776449.tif 000009
【図９】
0004776449.tif 000010
【図１０】
0004776449.tif 000011
【図１１】
0004776449.tif 000012
【図１２】
0004776449.tif 000013
【図１３】
0004776449.tif 000014
【図１４】
0004776449.tif 000015
【図１５】
0004776449.tif 000016
【図１６】
0004776449.tif 000017
【図１７】
0004776449.tif 000018
【図１８】
0004776449.tif 000019